(57)【特許請求の範囲】
【請求項１】
表面に複数の電極が形成されて成る回路基板の表面に、前記複数の電極と接続して搭載され、前記回路基板の回路と、この回路基板と相対する接続対象回路との間を電気的に接続する表面接続型コネクタであって、次の各構成を有することを特徴とする表面接続型コネクタ。
（イ）絶縁性シートにより、予め設定された大きさ及び形状に形成された、シート状インシュレータ
（ロ）それぞれが、予め定められた長さの弾性を有する針金状導体により、その一方の端で前記シート状インシュレータを突き破ってこのシート状インシュレータのところで折り曲げられて、その裏側の部分と表側の部分とで前記シート状インシュレータを挟みつけてこのシート状インシュレータに固定され、その表側の、この固定部分から先の部分が、前記シート状インシュレータの表面に対し、予め設定された間隔となるまで、前記固定部分から遠ざかるに従って徐々に広くなる形状に形成されて、この予め設定された間隔まで広がった部分を、前記接続対象回路と接触接続する接点部とし、前記裏側の部分を、前記回路基板表面の電極と接続する接続端子部として、前記シート状インシュレータに配列された、複数のコンタクト
【請求項２】
前記複数のコンタクトそれぞれは、前記シート状インシュレータへの固定部分から先の部分が、その接点部の先に更につながって延びて、前記接点部の中心点を通り前記シート状インシュレータと直交する軸に対し対称となるように、前記シート状インシュレータの表面に徐々に接近してこの表面に接触するまでの部分と、他方の端で前記シート状インシュレータを突き破ってその裏側の部分と表側の部分とで、このシート状インシュレータを挟みつけてこのシート状インシュレータに固定される部分と、を含む形状、構造である、請求項１記載の表面接続型コネクタ。
【請求項３】
前記複数のコンタクトそれぞれは、前記シート状インシュレータへの固定部分から先の部分が、その接点部の端で終端となる形状である、請求項１記載の表面接続型コネクタ。
【請求項４】
前記複数のコンタクトそれぞれは、前記シート状インシュレータへの固定部分から先の部分が、その接点部の端から更に延びてこの接点部の端で前記シート状インシュレータの方向に折り曲げられ、その先端部分が、前記シート状インシュレータを突き破ってこのシート状インシュレータに保持される形状、構造である、請求項１記載の表面接続型コネクタ。
【請求項５】
前記複数のコンタクトそれぞれは、前記シート状インシュレータへの固定部分から先の部分の、接点部の端で前記シート状インシュレータの方向に折り曲げられたところから、その先端に至るまでの間の部分が、湾曲した形状に形成されて、前記接点部が接続対象回路と接触接続したときに、弾性変形できる構造である、請求項４記載の表面接続型コネクタ。
【請求項６】
請求項１乃至請求項５に記載の表面接続型コネクタを用いて、この表面接続型コネクタが接続、搭載された回路基板の回路と、この回路基板と相対する接続対象回路との間を電気的に接続する、表面接続型コネクタを用いた接続構造であって、前記接続対象回路が、表面に複数の電極が形成された基板を含んで成り、この基板表面の複数の電極に直接、前記表面接続型コネクタの複数のコンタクトそれぞれの接点部が対応、接触接続する構造である、表面接続型コネクタを用いた接続構造。
【請求項７】
請求項１乃至請求項５に記載の表面接続型コネクタを用いて、この表面接続型コネクタが接続、搭載された回路基板の回路と、この回路基板と相対する接続対象回路との間を電気的に接続する、表面接続型コネクタを用いた接続構造であって、前記接続対象回路が、表面に複数の電極が形成された基板と、この基板表面に、その複数の電極と接続して搭載された、もう１つの表面接続型コネクタと、を含んで成り、この基板表面に搭載されたもう１つの表面接続型コネクタの複数のコンタクトそれぞれの接点部と、前記回路基板表面に搭載された表面接続型コネクタの複数のコンタクトそれぞれの接点部と、が、対応、接触接続する構造である、表面接続型コネクタを用いた接続構造。
【発明の詳細な説明】
【０００１】
【発明の属する技術分野】
本発明は表面接続型コネクタ、及び表面接続型コネクタを用いた接続構造に関し、特に、表面に複数の電極が形成されて成る回路基板表面に搭載されて、この回路基板の回路と、この回路基板と相対する接続対象回路との間を電気的に接続する、表面接続型コネクタ、及び表面接続型コネクタを用いた接続構造に属する。
【０００２】
【従来の技術】
プリント配線板などの回路基板間を電気的に接続する方法としては、回路基板それぞれの１つの辺に沿って複数の電極を形成し、この１つの辺と嵌合するコネクタによって、これら回路基板間を接続する方法が多く用いられて来た。しかし、１つの辺に沿って、多くの電極を集中させて形成することは、回路部品や配線の配置、配線長の制約等によって困難なことも多く、そこで、回路基板の表面間でこれら回路基板間を接続するコネクタが現れた。
このような、表面接続型コネクタの従来の一例を図５（ａ）〜（ｃ）に示す。この表面接続型コネクタは、回路基板５００ｘに搭載、接続される第１の表面接続型コネクタ２００と、回路基板６００ｘに搭載、接続されて表面接続型コネクタ２００と嵌合する第２の表面接続型コネクタ３００と、を含んで構成され、これらの詳細は次のとおりである。
【０００３】
まず、第１の表面接続型コネクタ２００は、それぞれがＬ字状に形成されてその一方の端部分を、嵌合相手方（３００）のコンタクト（３１０）と接触接続する接点部２１１とし、その他方の端部分を、回路基板５００ｘの表面に形成された電極５１０ｘと接続する接続端子部２１２とする、複数のコンタクト２１０と、嵌合相手方（３００）との嵌合用の嵌合室２２１を備え、この嵌合室２２１内に、複数のコンタクト２１０の接点部２１１が配列されるように、これら複数のコンタクト２１０を保持するインシュレータ２２０と、を有する構成、構造となっている。
【０００４】
また、第２の表面接続型コネクタ３００は、それぞれが、Ｕ字状に２股に延びてその開口部分を、嵌合時に嵌合相手方（２００）のコンタクト２１０を挟みつける、接点部３１１とし、そのつけ根側から延び出した部分を、回路基板６００ｘの電極６１０ｘと接続する接続端子部３１２とする、複数のコンタクト３１０と、これら複数のコンタクト３１０を配列、保持して嵌合相手方（２００）の嵌合室２２１に挿入され、嵌合相手方（２００）と嵌合するインシュレータ３２０と、を有する構成、構造となっている。
【０００５】
そして、これら第１，第２の表面接続型コネクタ２００，３００は、その複数のコンタクト２１０，３１０それぞれの接続端子部２１２，３１２が、はんだ付け等により回路基板５００ｘ，６００ｘの電極５１０ｘ，６１０ｘに接続されてこれら回路基板５００ｘ，６００ｘに搭載され、これら回路基板５００ｘ，６００ｘの表面と直交する方向で互いに嵌合して、その複数のコンタクト２１０，３１０それぞれの接点部２１１，３１１が、対応、接触接続するようになっている。なお、インシュレータ２２０，３２０は、例えば、金型等を用いて、樹脂等により射出成形される。
【０００６】
【発明が解決しようとする課題】
この従来の表面接続型コネクタでは、第１，第２の表面接続型コネクタ２００，３００間の嵌合、接続構造が、回路基板５００ｘ，６００ｘの表面と直交する方向で嵌合し、またその複数のコンタクト２１０，３１０間の接続は、Ｕ字状に２股に延びたコンタクト３１０の間に、他のコンタクト２１０が入り込む構造となっているので、これら回路基板５００ｘ，６００ｘの表面と直交する方向、すなわち、これら回路基板５００ｘ，６００ｘの表面に対する高さ寸法が大きくなり、回路基板の配置数の低下や、装置の大型化を招く、という問題点があり、また、そのインシュレータ２２０，３２０は、一例として、金型等を用いて、樹脂等により、射出成形されるので、隣接するコンタクト（２１０，３１０）の間隔が狭くなると、その間を充分に満たすだけの樹脂の注入が困難になる、等の理由により、隣接するコンタクト間の間隔を狭くすることができず、狭ピッチ化が困難であるという問題点があり、更に、複数のコンタクト（２１０，３１０）それぞれを、一定の形に形成して、これらをインシュレータ（２２０，３２０）に配列、保持固定するために、その製造コスト、製品コストが高くなる、という問題点がある。
【０００７】
本発明の目的は、上記従来技術の問題点に鑑みて、低背化、狭ピッチ化ができて、かつコストを低減することができる、表面接続型コネクタを提供することにあり、また、この表面接続型コネクタを用いることにより、基板間隔を狭くすることができて、一定のスペースに対する基板の配置数を増し、装置の小型化、高密度化ができる、表面接続型コネクタを用いた接続構造を提供することにある。
【０００８】
【課題を解決するための手段】
第１の発明の表面接続型コネクタは、表面に複数の電極が形成されて成る回路基板の表面に、前記複数の電極と接続して搭載され、前記回路基板の回路と、この回路基板と相対する接続対象回路との間を電気的に接続する表面接続型コネクタであって、次の各構成を有することを特徴とする。
（イ）絶縁性シートにより、予め設定された大きさ及び形状に形成された、シート状インシュレータ
（ロ）それぞれが、予め定められた長さの弾性を有する針金状導体により、その一方の端で前記シート状インシュレータを突き破ってこのシート状インシュレータのところで折り曲げられて、その裏側の部分と表側の部分とで前記シート状インシュレータを挟みつけてこのシート状インシュレータに固定され、その表側の、この固定部分から先の部分が、前記シート状インシュレータの表面に対し、予め設定された間隔となるまで、前記固定部分から遠ざかるに従って徐々に広くなる形状に形成されて、この予め設定された間隔まで広がった部分を、前記接続対象回路と接触接続する接点部とし、前記裏側の部分を、前記回路基板表面の電極と接続する接続端子部として、前記シート状インシュレータに配列された、複数のコンタクト
【０００９】
また、前記複数のコンタクトそれぞれは、前記シート状インシュレータへの固定部分から先の部分が、その接点部の先に更につながって延びて、前記接点部の中心点を通り前記シート状インシュレータと直交する軸に対し対称となるように、前記シート状インシュレータの表面に徐々に接近してこの表面に接触するまでの部分と、他方の端で前記シート状インシュレータを突き破ってその裏側の部分と表側の部分とで、このシート状インシュレータを挟みつけてこのシート状インシュレータに固定される部分と、を含む形状、構造である、構成を有している。
【００１０】
また、前記複数のコンタクトそれぞれは、前記シート状インシュレータへの固定部分から先の部分が、その接点部の端で終端となる形状である、構成を有している。
【００１１】
また、前記複数のコンタクトそれぞれは、前記シート状インシュレータへの固定部分から先の部分が、その接点部の端から更に延びてこの接点部の端で前記シート状インシュレータの方向に折り曲げられ、その先端部分が、前記シート状インシュレータを突き破ってこのシート状インシュレータに保持される形状、構造であり、更に、前記複数のコンタクトそれぞれは、前記シート状インシュレータへの固定部分から先の部分の、接点部の端で前記シート状インシュレータの方向に折り曲げられたところから、その先端に至るまでの間の部分が、湾曲した形状に形成されて、前記接点部が接続対象回路と接触接続したときに、弾性変形できる構造である、構成を有している。
【００１２】
第２の発明の表面接続型コネクタを用いた接続構造は、前記表面接続型コネクタを用いて、この表面接続型コネクタが接続、搭載された回路基板の回路と、この回路基板と相対する接続対象回路との間を電気的に接続する、表面接続型コネクタを用いた接続構造であって、前記接続対象回路が、表面に複数の電極が形成された基板を含んで成り、この基板表面の複数の電極に直接、前記表面接続型コネクタの複数のコンタクトそれぞれの接点部が対応、接触接続する構造である、構成を有している。
【００１３】
また、前記接続対象回路が、表面に複数の電極が形成された基板と、この基板表面に、その複数の電極と接続して搭載された、もう１つの表面接続型コネクタと、を含んで成り、この基板表面に搭載されたもう１つの表面接続型コネクタの複数のコンタクトそれぞれの接点部と、前記回路基板表面に搭載された表面接続型コネクタの複数のコンタクトそれぞれの接点部と、が、対応、接触接続する構造である、構成を有している。
【００１４】
【発明の実施の形態】
第１の発明である表面接続型コネクタの、一実施の形態は、表面に複数の電極が形成されて成る回路基板の表面に、これら複数の電極と接続して搭載され、この回路基板の回路と、この回路基板と相対する接続対象回路との間を電気的に接続する表面接続型コネクタであって、シート状インシュレータと、複数のコンタクトと、を有して成り、これらの詳細は次のとおりである。
まず、シート状インシュレータは、絶縁性シートにより、予め設定された大きさ及び形状に形成される。また、複数のコンタクトは、それぞれが、予め定められた長さの弾性を有する針金状導体により、その一方の端で上記シート状インシュレータを突き破ってこのシート状インシュレータのところで折り曲げられて、その裏側の部分と表側の部分とでこのシート状インシュレータを挟みつけてこのシート状インシュレータに固定し、その表側の、この固定部分から先の部分が、上記シート状インシュレータの表面に対し、予め設定された間隔となるまで、上記固定部分から遠ざかるに従って徐々に広くなる形状に形成されて、この予め設定された間隔まで広がった部分を、上記接続対象回路と接触接続する接点部とし、上記裏側の部分を、上記回路基板表面の電極と接続する接続端子部として、上記シート状インシュレータに配列される。
【００１５】
このような構成、構造とすることにより、複数のコンタクトを保持、固定する部材は、１枚のシート状インシュレータのみであり、かつ、複数のコンタクトそれぞれは、その端の部分で、ホチキス針と同様の構造でこの１枚のシート状インシュレータを挟みつけてこのシート状インシュレータに保持、固定され、この固定部分から先の部分は、その接点部が、シート状インシュレータ表面に対し、その弾性力により接続対象回路に規定の接触圧力で接触接続できるだけの間隔を確保できればよいので、その回路基板表面からの高さを、従来例に比べて大幅に低くすることができ（低背化）、また、コンタクトの、シート状インシュレータへの固定構造が、ホチキス針と同様の固定構造であるので、隣接コンタクト間隔を狭くすることができ（狭ピッチ化）、かつ各部の構造、形状が単純で組立て作業も容易となって、製造コスト、部材費を含めた、製品コストを安くすることができる。
【００１６】
なお、複数のコンタクトそれぞれには、シート状インシュレータへの固定部分からの延長部分が、その接点部で終端となる、終端開放型のものや、接点部の端でシート状インシュレータ方向に折り曲げてこのシート状インシュレータに終端部分を保持させる、終端保持型、その中でも、折り曲げた部分を湾曲させて、接触接続時にこの湾曲部分を弾性変形させる、終端弾性変形保持型や、接点部に対し左右対称でシート状インシュレータに保持する、左右対称２点保持型、等がある。
【００１７】
第２の発明の表面接続型コネクタを用いた接続構造の、一実施の形態は、上記の表面接続型コネクタを用いて、この表面接続型コネクタが接続、搭載された回路基板の回路と、この回路基板と相対する接続対象回路との間を電気的に接続する、表面接続型コネクタを用いた接続構造であって、上記接続対象回路が、表面に複数の電極が形成された基板を含んで成り、この基板表面の複数の電極に直接、上記表面接続型コネクタの複数のコンタクトそれぞれの接点部が対応、接触接続する構造として、構成される。
【００１８】
このような構成、構造とすることにより、回路基板と接続対象回路との間が、上記の、低背型の表面接続型コネクタで接続されるので、これら回路基板・接続対象回路間を狭くすることができて、一定のスペース内に配置できる回路基板の数を増すことができ、また、装置を小型化、高密度化することができる。
【００１９】
なお、この実施の形態では、接続対象回路が基板のみの場合であったが、この基板に、更に、上記の表面接続型コネクタを搭載して、２つの表面接続型コネクタにより、回路基板・基板間を接続するようにしても、表面接続型コネクタが、１つから２つになる分、基板間隔は広がるものの、その広がりの程度はわずかであり、１つの場合と大差はない。
【００２０】
【実施例】
次に本発明の実施例について図面を参照して説明する。
図１（ａ）〜（ｃ）は第１の発明である表面接続型コネクタの第１の実施例を示す斜視図、平面図及び側面図、並びに回路基板搭載状態の断面側面図である。
この第１の実施例の表面接続型コネクタ１００は、表面に複数の電極５１０が形成されて成る回路基板５００の表面に、その複数の電極５１０と接続して搭載され、この回路基板５００の回路と、この回路基板５００と相対する接続対象回路（図示省略）との間を電気的に接続するものであって、シート状インシュレータ１１０と、複数のコンタクト１２０と、を有して成り、これらの詳細は次のとおりである。
【００２１】
まず、シート状インシュレータ１１０は、絶縁性シートにより、複数のコンタクト１２０を配置、保持固定するのに必要な大きさ及び形状に形成される。
次に、複数のコンタクト１２０は、それぞれが、回路基板５００及び接続対象回路の、間隔や、その電極の形状、配置等により予め定められた長さの、弾性を有する針金状導体により、その一方の端で、シート状インシュレータ１１０を突き破ってこのシート状インシュレータ１１０の部分で折り曲げられて、ホチキス針の固定構造と同様に、その裏側の部分と表側の部分とでシート状インシュレータ１１０を挟みつけてこのシート状インシュレータ１１０に固定され、その表側のこの固定部分から先の部分が、シート状インシュレータ１１０の表面に対し、予め設定された間隔となるまで、上記固定部分から遠ざかるに従って徐々に広くなり、この予め設定された間隔まで広がった部分を、接続対象回路と接触接続する接点部１２１とし、この予め設定された間隔まで広がった部分から更に延びて、この接点部１２１の中心点を通り、かつシート状インシュレータ１１０と直交する軸に対し、左右対称となるように、徐々にシート状インシュレータ１１０の表面に接した後、上述の一方の端の部分と同様に、その他方の端で、シート状インシュレータ１１０を突き破ってこのシート状インシュレータ１１０の部分で折り曲げられて、その裏側の部分と表側の部分とでシート状インシュレータ１１０を挟みつけ、このシート状インシュレータ１１０に固定され、その裏側にある部分を、回路基板５００の表面の電極５１０と接続する接続端子部１２２として（図１では、裏側にある両端を接続端子部１２２としているが、その一方だけでもよい）、シート状インシュレータ１１０に配列される。
【００２２】
この表面接続型コネクタ１００は、その複数のコンタクト１２０それぞれの接続端子部１２２が、回路基板５００の複数の電極５１０と対応接続するように、接続端子部１２２・電極５１０間をはんだ付けして回路基板５００に固定するか、別途準備された搭載固定手段により、シート状インシュレータ１１０等を保持してこれを回路基板５００に固定する。
【００２３】
そして、例えば図２（ａ）に示すように、その複数のコンタクト１２０それぞれの接点部１２１を、接続対象回路であるもう１つの回路基板６００の、対応する電極６１０に接触接続して、回路基板５００の回路と、回路基板６００の回路と、の間を電気的に接続する。接点部１２１に回路基板６００の電極６１０を加圧接触させたとき、各コンタクト１２０は、接点部１２１を含む、そのシート状インシュレータ１１０への、両端の固定部分に挟まれた部分が弾性変形し、電極６１０・接点部１２１間は一定の圧力で接触接続することになる。
【００２４】
この第１の実施例においては、複数のコンタクト１２０を配列、保持固定する部材が、１枚のシート状インシュレータ１１０であり、しかも複数のコンタクト１２０それぞれは、その両端が、ホチキス針と同様の構造で、この１枚のシート状インシュレータ１１０を挟みつけてこのシート状インシュレータ１１０に保持、固定されていて、シート状インシュレータ１１０の表面との間隔が最も広い接点部１２１は、接続対象回路（回路基板６００）の電極（６１０）に対し規定の圧力で接触できるように、この接点部１２１を含む、両端の固定部分に挟まれた部分が弾性変形可能な程度にシート状インシュレータ１２０の表面との間隔を確保できればよいので、回路基板５００の表面に対する高さを、従来例（図５）に比べて大幅に低く（低背化）することができる。
【００２５】
また、コンタクト１２０の、シート状インシュレータ１１０への固定構造が、ホチキス針と同様の固定構造であるので、その組立て作業も、ホチキス針の固定方法と同様の方法で容易にでき、しかも、各部及び全体の構造、形状が、１枚のシート状インシュレータ１１０に、針金状導体を折り曲げ加工、固定するだけの極めて単純なものであるので、資材費、製造コスト、及びこれらを含めた製品コストを安くすることができ、更に、隣接コンタクト間が絶縁されてシート状インシュレータ１１０にホチキス針様に固定できればよいので、コンタクト間隔を狭くすることができる（狭ピッチ化）。
【００２６】
図２（ａ），（ｂ）は第２の発明の、この表面接続型コネクタ１００を用いた接続構造を示す第１の実施例、第２の実施例の部分断面側面図である。
図２（ａ）に示された第１の実施例は、表面に複数の電極５１０が形成されて成る第１の回路基板５００と、複数のコンタクト１２０それぞれの接続端子部１２２を回路基板５００の対応する電極５１０と接続する、前述の表面接続型コネクタ１００と、表面に複数の電極６１０が形成されて成り、これら複数の電極６１０を、表面接続型コネクタ１００の複数のコンタクト１２０それぞれの接点部１２１と対応、接触接続する第２の回路基板６００と、を含んで構成される。
【００２７】
また、図２（ｂ）に示された第２の実施例は、第１の実施例と同様の第１の回路基板５００及び表面接続型コネクタ１００と、表面に複数の電極６１０ａが形成されて成る第２の回路基板６００ａと、上記表面接続型コネクタ１００と同一形状、構造であり、その複数のコンタクト１２０それぞれの、接続端子部１２２を、第２の回路基板６００ａの対応する電極６１０ａに接続し、接点部１２１を、第１の回路基板５００に搭載された表面接続型コネクタ１００の複数のコンタクト１２０それぞれの接点部１２１と対応、接触接続する、もう１つの表面接続型コネクタ１００ａと、を含んで構成される。
【００２８】
これら第１，第２の実施例においては、第１の回路基板５００と、その接続対象回路である第２の回路基板６００，６００ａと、の間が、上述した低背型の表面接続型コネクタ１００，１００ａを、１つまたは２つ用いて接続されるので、１つ用いた場合はもちろん、２つ用いた場合でも、第１の回路基板５００と第２の回路基板６００，６００ａとの間の間隔を、従来例（図５）に比べて大幅に狭くすることができて、一定のスペース内に配置できる回路基板の数を増すことができ、また、装置を小型化、高密度化することができる。
【００２９】
なお、これら実施例において、表面接続型コネクタ１００，１００ａの回路基板５００，６００ａへの固定は、コンタクト１２０の接続端子部１２２を、回路基板５００，６００ａの電極５１０，６１０ａにはんだ付けすることによって実施してもよいし、別途準備されたコネクタ搭載固定手段によって実施してもよい。
【００３０】
図３（ａ）〜（ｃ）は、第１の発明である表面接続型コネクタの第２の実施例を示す、平面図及び側面図、並びにその回路基板への搭載接続構造の２つの例を含む断面側面図である。
この表面接続型コネクタ１００ｂは、その複数のコンタクト１２０ｂそれぞれが、前述の第１の実施例における表面接続型コネクタ１００の複数のコンタクト１２０それぞれの、一方の端のシート状インシュレータへの固定部分から接点部１２１までの部分を抽出した構造、形状となっており、これらコンタクト１２０ｂに合わせて、シート状インシュレータ１１０ｂが形成された構造、形状となっている。
【００３１】
この表面接続型コネクタ１００ｂの、回路基板５００ａへの搭載、固定は、図３（ｂ）に示すように、コンタクト１２０ｂそれぞれの接続端子部１２２を、回路基板５００ａの対応する電極５１０ａにはんだ付け（５５０）し、シート状インシュレータ１１０ｂの端を保持部材５６０により、回路基板５００ａに保持固定する構造としてもよいし、また、図３（ｃ）に示すように、シート状インシュレータ１１０ｂの両端を、保持部材５６０により回路基板５００ａに保持固定して、コンタクト１２０ｂの接続端子部１２２が、回路基板５００ａの電極５１０ａに接触接続する構造としてもよい。
【００３２】
この第２の実施例においても、第１の実施例と同様の作用効果があるほか、コンタクト１２０ｂの長さが、第１の実施例のコンタクト１２０に比べてほぼ半分となっているので、その分、その配置面積を小さくすることができる。
【００３３】
この表面接続型コネクタ１００ｂを用いた接続構造も、前述の表面接続型コネクタ１００を用いた接続構造と同様に、接続対象回路が、回路基板のみの場合（図２（ａ）相当）や、回路基板、及びこの回路基板に搭載、接続された表面接続型コネクタを含む場合（図２（ｂ）相当）などがある。
【００３４】
図４（ａ），（ｂ）は、第１の発明である表面接続型コネクタの第３の実施例及び第４の実施例を示す、回路基板搭載状態の断面側面図である。
前述の表面接続型コネクタ１００ｂ（第２の実施例）では、シート状インシュレータ１１０ｂへの固定部分から先の部分が、接点部１２１ｂの端で終端となっていてこの部分がフリーであるので、この固定部分から先の部分が長くなると、接点部１２１ｂ付近が横振れして隣接するコンタクトと接触する危険性が生じる。そこで、第３，第４の実施例の表面接続型コネクタ１００ｃ，１００ｄでは、コンタクト１２０ｃ，１２０ｄの、シート状インシュレータ１１０ｃ，１１０ｄへの固定部分から先の部分が、その接点部１２１ｃ，１２１ｄの端から更に延びてこの接点部１２１ｃ，１２１ｄの端でシート状インシュレータ１１０ｃ，１１０ｄの方向に折り曲げられ、その先端部分が、シート状インシュレータ１１０ｃ，１１０ｄを突き破ってこのシート状インシュレータ１１０ｃ，１１０ｄに保持される形状、構造としている。
【００３５】
これら実施例では、接点部１２１ｃ，１２１ｄの端が、この端からシート状インシュレータ１１０ｃ，１１０ｄの方向に延びてこれに固定されるので、接点部１２１ｃ，１２１ｄ付近の横振れを抑えることができて、隣接コンタクト間の接触を無くすことができる。その他の作用効果は、前述の表面接続型コネクタ１００ｂと同様である。
【００３６】
また、図４（ｂ）に示された第４の実施例の表面接続型コネクタ１００ｄでは、接点部１２１ｄの先からシート状インシュレータ１１０ｄの方向に折り曲げられた部分が湾曲しており、接点部１２１ｄが接続対象回路と接触接続したときに、この湾曲部分も弾性変形し、規定された接触圧力が得やすい構造、形状となっている。
【００３７】
このような表面接続型コネクタ１００ｃ，１００ｄを用いた接続構造は、表面接続型コネクタ１００，１００ｂの場合と同様であり、その作用効果も、この場合と同様である。
【００３８】
【発明の効果】
以上説明したように本発明は、１枚のシート状インシュレータに、一定の長さの弾性を有する針金状導体を、その先端でこのシート状インシュレータを突き破ってその裏側の部分と表側の部分とでこのシート状インシュレータを挟みつけてこれに固定し、この固定部分から先の部分が、シート状インシュレータの表面に対し、規定の間隔となるまで、固定部分から徐々に広くなる形状に形成されて、この規定の間隔の部分を、接続対象回路と接触接続する接点部とし、裏側の部分を、搭載される回路基板の電極と接続する接続端子部とする、コンタクトを、複数本配列した構成、構造とすることにより、複数のコンタクトそれぞれは、その端の部分で、ホチキス針と同様の構造でシート状インシュレータに保持、固定され、この固定部分から先の部分は、その接点部が接続対象回路に対し規定の接触圧力で接触接続できるだけの、シート状インシュレータ表面との間隔を確保すればよいので、その高さを、従来例に比べて大幅に低くすることができ、また、コンタクトの、シート状インシュレータへの固定構造が、ホチキス針と同様の固定構造であるので、隣接コンタクト間隔を狭くすることができ、かつ各部の構造、形状も単純化され、組立て作業も簡単であるので、製造コスト、部材費等を含めた、製品コストを安くすることができる、という効果がある。
【００３９】
また、この表面接続型コネクタを用いた接続構造は、このコネクタが搭載される回路基板と、接続相手方の基板との間を狭くすることができて、一定のスペースに配置できる基板数を多くすることができ、装置の小型化、高密度化ができる、という効果がある。
【図面の簡単な説明】
【図１】本発明の表面接続型コネクタの第１の実施例を示す、斜視図、平面図及び側面図、並びに回路基板搭載状態の断面側面図である。
【図２】図１に示された表面接続型コネクタを用いた接続構造の、第１の実施例及び第２の実施例を示す、部分断面側面図である。
【図３】本発明の表面接続型コネクタの第２の実施例を示す、平面図及び側面図、並びに、回路基板搭載状態の２つの例の、断面側面図である。
【図４】本発明の表面接続型コネクタの第３の実施例及び第４の実施例を示す、回路基板搭載状態の断面側面図である。
【図５】従来の表面接続型コネクタ、及びこれを用いた接続構造の一例を示す、嵌合前の斜視図、嵌合前の断面側面図、及び嵌合状態の断面側面図である。
【符号の説明】
１００，１００ａ〜１００ｄ  表面接続型コネクタ
１１０，１１０ｂ〜１１０ｄ  シート状インシュレータ
１２０，１２０ｂ〜１２０ｄ  コンタクト
１２１，１２１ｂ〜１２１ｄ  接点部
１２２  接続端子部
１２３  保持部
１２４  湾曲保持部
２００  表面接続型コネクタ
２１０  コンタクト
２１１  接点部
２１２  接続端子部
２２０  インシュレータ
２２１  嵌合室
３００  表面接続型コネクタ
３１０  コンタクト
３１１  接点部
３１２  接続端子部
３２０  インシュレータ
５００，５００ａ，５００ｘ  回路基板
５１０，５１０ａ，５１０ｘ  電極
６００，６００ａ，６００ｘ  回路基板
６１０，６１０ａ，６１０ｘ  電極
【図１】
0003665961.tif 000002
【図２】
0003665961.tif 000003
【図３】
0003665961.tif 000004
【図４】
0003665961.tif 000005
【図５】
0003665961.tif 000006